(57)【要約】      （修正有）【課題】出荷前に工場内での準備を不要とし、トイレの施工前でも組み立てられるトイレカウンターを提供する。【解決手段】トイレカウンター１は、後壁Ｗｂに取り付けられる背面桟木１１と、背面桟木に直交してこれらの背面桟木を挟むように取り付けられる側面パネル１２と、便器本体Ｔと配水管及び洗浄タンクＴｗとの境界面上かつ配水管の正面と洗浄タンクの正面との各々に位置して側面パネルの側端面に着脱自在に取り付けられる下方正面パネル１３及び上方正面パネル１４と、背面桟木、側面パネル、及び上方正面パネルの各々の上端面に載置して着脱自在に取り付けられる天板１５とを備え、下方正面パネルは、略正方形状の板材で、分割自在な一対の下方正面パネルパーツ１３１，１３２で形成され、下方正面パネルパーツは、取り付けられた状態で便器本体Ｔ及び配水管に接触しないように、長方形状の板材に対して設けられた切欠部１３１ａ，１３２ａを有する。【選択図】図１
2020128665.tif 000002
【特許請求の範囲】
【請求項１】
トイレスペースに設置される便器本体の背面側に位置する配水管及び当該配水管の上方に位置する洗浄タンクを収納する箱型のトイレカウンターであって、
前記配水管及び前記洗浄タンクの背面側にある前記トイレスペースの壁面上に取り付けられる背面桟木と、
前記配水管及び前記洗浄タンクの左右両側に位置し、前記背面桟木に直交して当該背面桟木を挟むように取り付けられる側面パネルと、
前記便器本体と前記配水管及び前記洗浄タンクとの境界面上かつ当該配水管の正面と当該洗浄タンクの正面との各々に位置して前記側面パネルの側端面に着脱自在に取り付けられる下方正面パネル及び上方正面パネルと、
同一の高さである前記背面桟木、前記側面パネル、及び前記上方正面パネルの各々の上端面に載置するように着脱自在に取り付けられる天板とを備え、
前記下方正面パネルは、分割自在な一対の下方正面パネルパーツで形成され、
前記一対の下方正面パネルパーツの各々は、取り付けられた状態で前記便器本体及び前記配水管に接触しない切欠部を有する
ことを特徴とするトイレカウンター。
【請求項２】
前記天板が、長方形状の板材で、長手辺側の端部の一方に下向きかつ略直角に折れ曲がった突起部を有し、
前記突起部が、前記天板を取り付けた状態で前記上方正面パネルより前記便器本体側に突き出ている
ことを特徴とする請求項１に記載のトイレカウンター。
【請求項３】
トイレスペースに設置される便器本体の背面側に位置する配水管及び当該配水管の上方に位置する洗浄タンクを収納する箱型のトイレカウンターの施工方法であって、
前記配水管及び前記洗浄タンクの背面側にある前記トイレスペースの壁面上に背面桟木を少なくとも一つ取り付け、
前記配水管及び前記洗浄タンクの左右両側に位置し、前記背面桟木に直交して当該背面桟木を挟むように側面パネルを取り付け、
前記配水管が前記側面パネルの間に収まるように据え付けられた前記便器本体及び当該配水管の上方かつ当該側面パネルの間に収まるように据え付けられた前記洗浄タンクに対し、
前記便器本体と前記配水管及び前記洗浄タンクとの境界面上かつ当該配水管の正面に位置するように、取り付けられた状態で前記便器本体及び当該配水管に接触しない切欠部を有する分割自在な一対の下方正面パネルパーツで形成される下方正面パネルを前記側面パネルの側端面に着脱自在に取り付け、
前記便器本体と前記配水管及び前記洗浄タンクとの境界面上かつ当該洗浄タンクの正面に位置するように、上方正面パネルを前記側面パネルの側端面に着脱自在に取り付け、
同一の高さである前記背面桟木、前記側面パネル、及び前記上方正面パネルの各々の上端面に載置するように天板を着脱自在に取り付ける
ことを特徴とするトイレカウンターの施工方法。
【発明の詳細な説明】
【技術分野】
【０００１】
本発明は、例えば一般住宅のトイレスペースに設置されるトイレカウンター及びトイレカウンターの施工方法に関し、詳細には、トイレスペース内で組み立て可能な部材にて形成されるトイレカウンター及びトイレカウンターの施工方法に関する。
【背景技術】
【０００２】
従来から、集合住宅等の一般住宅に備え付けのトイレには、便座に着座する洋式型が採用されてきた。一般的な洋式型のトイレには、便座を有する器状の便器本体と、使用状態において便器本体の背面側に位置する配水管と、配水管の上方に据え付けられる洗浄タンクとが備わっていた。しかしながら、配水管及び洗浄タンク周辺の余剰スペースの有効活用及びトイレスペース全体の外観向上のために、配水管及び洗浄タンクを被う箱型のトイレカウンターが注目されてきた。
【０００３】
例えば、特許文献１には、配水管接続用空間と、洗浄タンク設置用の空間が形成されるタンク収納体と、タンク収納体と左右のトイレスペースの壁面との間に形成される小物品等の収納空間部とで形成されたキャビネットであって、配水管接続用空間の前面パネルが便器本体の後面側に取り付けられている技術が開示されている。ここで、前面パネルは、便器本体の後面側に取り付けられた状態で工場出荷され、キャビネットに取り付けられる。
【先行技術文献】
【特許文献】
【０００４】
【特許文献１】特開平７−２７９２１９号公報
【発明の概要】
【発明が解決しようとする課題】
【０００５】
しかしながら、特許文献１では、便器本体には本来不要な別の部材である配水管接続用空間の前面パネルを出荷前に工場内で準備し、便器本体の後面に取り付ける工程を別途要していた。そして、トイレをトイレスペースに設置する業者がいなければ、キャビネットの組み立てを完成させることができなかった。すなわち、上記キャビネットは、便器本体の設置後に組み立てることを前提とした設計をしなければならなかった。
【０００６】
一般住宅の建築は、複数の業者が複数の部材を持ち寄り、複数の施工を相互に行って完成させている。そのため、所定の業者の施工に依存した設計は、一般住宅全体の工期を遅延させる要因となる恐れがある。すなわち、トイレカウンターは、トイレの設置を前提せず、かつトイレの設置前でも組み立てを大よそ完成させることができる設計であることが施工にとって望ましい。
【０００７】
そこで、本発明の目的は、出荷前に工場内での準備を不要とし、トイレの施工前でも組み立てられるトイレカウンター及びトイレカウンターの施工方法を提供することにある。
【課題を解決するための手段】
【０００８】
すなわち、本発明におけるトイレカウンターは、トイレスペースに設置される便器本体の背面側に位置する配水管及び上記配水管の上方に位置する洗浄タンクを収納する箱型のトイレカウンターであって、上記配水管及び上記洗浄タンクの背面側にある上記トイレスペースの壁面上に取り付けられる背面桟木と、上記配水管及び上記洗浄タンクの左右両側に位置し、上記背面桟木に直交して上記背面桟木を挟むように取り付けられる側面パネルと、上記便器本体と上記配水管及び上記洗浄タンクとの境界面上かつ上記配水管の正面と上記洗浄タンクの正面との各々に位置して上記側面パネルの側端面に着脱自在に取り付けられる下方正面パネル及び上方正面パネルと、同一の高さである上記背面桟木、上記側面パネル、及び上記上方正面パネルの各々の上端面に載置するように着脱自在に取り付けられる天板とを備え、上記下方正面パネルは、分割自在な一対の下方正面パネルパーツで形成され、上記一対の下方正面パネルパーツの各々は、取り付けられた状態で上記便器本体及び上記配水管に接触しない切欠部を有することを特徴としている。
【０００９】
上記天板が、長方形状の板材で、長手辺側の端部の一方に下向きかつ略直角に折れ曲がった突起部を有し、上記突起部が、上記天板を取り付けた状態で上記上方正面パネルより上記便器本体側に突き出ていることが望ましい。
【００１０】
また、本発明におけるトイレカウンターの施工方法は、トイレスペースに設置される便器本体の背面側に位置する配水管及び上記配水管の上方に位置する洗浄タンクを収納する箱型のトイレカウンターの施工方法であって、上記配水管及び上記洗浄タンクの背面側にある上記トイレスペースの壁面上に背面桟木を少なくとも一つ取り付け、上記配水管及び上記洗浄タンクの左右両側に位置し、上記背面桟木に直交して上記背面桟木を挟むように側面パネルを取り付け、上記配水管が上記側面パネルの間に収まるように据え付けられた上記便器本体及び上記配水管の上方かつ上記側面パネルの間に収まるように据え付けられた上記洗浄タンクに対し、上記便器本体と上記配水管及び上記洗浄タンクとの境界面上かつ上記配水管の正面に位置するように、取り付けられた状態で上記便器本体及び上記配水管に接触しない切欠部を有する分割自在な一対の下方正面パネルパーツで形成される下方正面パネルを上記側面パネルの側端面に着脱自在に取り付け、上記便器本体と上記配水管及び上記洗浄タンクとの境界面上かつ上記洗浄タンクの正面に位置するように、上方正面パネルを上記側面パネルの側端面に着脱自在に取り付け、同一の高さである上記背面桟木、上記側面パネル、及び上記上方正面パネルの各々の上端面に載置するように天板を着脱自在に取り付けることを特徴としている。
【発明の効果】
【００１１】
本発明によるトイレカウンター及びトイレカウンターの施工方法によれば、出荷前に工場内での準備を不要とし、トイレの施工前でも組み立てられる。すなわち、トレイカウンターを先行して組み立てることができるため、トイレスペース全体の施工効率の向上が期待できる。さらに、下方正面パネル及び／又は上方正面パネルを取り外すだけで、便器本体、配水管、及び洗浄タンクのいずれか又は全てを容易に修理・交換・清掃等することができる。
【図面の簡単な説明】
【００１２】
【図１】本発明の一実施形態におけるトイレカウンターの（ａ）正面概念図、（ｂ）平面概念図である。
【図２】図１（ａ）のＡ−Ａ断面図である。
【図３】図１（ａ）のＢ−Ｂ断面図である。
【図４】図１（ａ）のＣ−Ｃ断面図である。
【図５】上記トイレカウンターの一部材の正面図である。
【図６】図１（ａ）のＤ−Ｄ断面図である。
【発明を実施するための形態】
【００１３】
以下、図１〜図６を参照しつつ、本発明の一実施形態におけるトレイカウンターの構造及び施工方法について説明する。
これらの図において、複数個存在する同一の部位については、一つの部位のみに符番した部分もある。説明の便宜上、所定の部位やこの引き出し線をかくれ線（破線）や想像線（二点鎖線）で示し、断面部分をハッチングで示した部分もある。
説明において、上方、下方、側方、垂直方向、水平方向等の方向を示す用語は、基本的に、通常使用する向きで便器本体又はトイレカウンターを設置した状態における位置関係とする。
【００１４】
図１に示すとおり、トイレカウンター１は、一般的な住宅のトイレスペースに備わる洋式の便器本体Ｔの背面側に位置する配水管（図示しない）及び配水管の上方に位置する洗浄タンクＴｗを収納する箱型のものである。トイレスペースは、便器本体Ｔを設置する床Ｆと、便器本体Ｔの左右両側及び背面側に位置するように床Ｆから立ち上がっている側壁Ｗｓ及び後壁Ｗｂとを備えている。
なお、トイレスペースの床Ｆの面積、側壁Ｗｓ同士の距離（幅）、及び入口から後壁Ｗｂまでの距離（奥行き）は、トイレカウンター１の設置に影響しない限り、いずれでもよい。
【００１５】
図１及び図２に示すとおり、トイレカウンター１は、後壁Ｗｂに取り付けられる背面桟木１１，１１，１１と、配水管及び洗浄タンクＴｗの左右両側に位置し、背面桟木１１，１１，１１に直交して背面桟木１１，１１，１１を挟むように取り付けられる側面パネル１２，１２と、便器本体Ｔと配水管及び洗浄タンクＴｗとの境界面上かつ配水管の正面と洗浄タンクＴｗの正面との各々に位置して側面パネル１２，１２の側端面に着脱自在に取り付けられる下方正面パネル１３及び上方正面パネル１４と、同一の高さである背面桟木１１、側面パネル１２，１２、及び上方正面パネル１４の各々の上端面に載置して着脱自在に取り付けられる天板１５とを備えている。
なお、背面桟木１１、側面パネル１２、下方正面パネル１３、上方正面パネル１４、及び天板１５の厚みは、略同等でもよい。
【００１６】
図１及び図２に示すとおり、背面桟木１１，１１，１１は、長方形状の板材であり、長手辺が水平になる向きに取り付けられ、トイレカウンター１における下端、上端、並びに下端及び上端の中間程度に該当する位置にある。
なお、背面桟木１１，１１，１１は、三つに限らず、一つでも四つ以上でもよく、寸法に限定はない。
【００１７】
図３及び図４に示すとおり、側面パネル１２，１２は、長方形状の板材で、便器本体Ｔ、配水管及び洗浄タンクＴｗに関する配線や配管の通路となる切欠部１２１，１２２及び貫通孔１２２を有し、床Ｆ及び後壁Ｗｂに立て掛けて背面桟木１１，１１，１１の側端面に接するように取り付けられる。便器本体Ｔ側の側面パネル１２，１２の側端面には、下方正面パネル１３及び上方正面パネル１４を着脱自在に取り付けるマグネット等の接着部材が取り付けられている。
なお、側面パネル１２，１２は、矩形状の板材に限らず、楕円形状や円形状の板材でもよく、寸法に限定はない。切欠部１２１，１２１及び貫通孔１２２は、矩形状に限らず、楕円形状や円形状でもよく、寸法に限定はない。
【００１８】
図１及び図２に示すとおり、下方正面パネル１３及び上方正面パネル１４は、略正方形状の板材で、便器本体Ｔの背面付近並びに配水管及び洗浄タンクＴｗの正面付近で便器本体Ｔと配水管及び洗浄タンクＴｗとの各々の設置領域を区分けする境界面上に位置している。配水管及び洗浄タンクＴｗに面する下方正面パネル１３及び上方正面パネル１４の裏面の左右両端には、側面パネル１２，１２の側端面に着脱自在に取り付けるためのマグネット等の接着部材が取り付けてある。
なお、下方正面パネル１３は、便器本体Ｔの形状や便器本体Ｔ並びに配水管及び洗浄タンクＴｗとの配置関係に合わせて、上方正面パネル１４より薄くてもよい。下方正面パネル１３と上方正面パネル１４との高さ及び幅等の寸法は、同一でもそれぞれ異なっていてもよい。下方正面パネル１３及び上方正面パネル１４は、矩形状の板材に限らず、楕円形状や円形状の板材でもよい。
【００１９】
図５に示すとおり、下方正面パネル１３は、略正方形状の板材で、分割自在な一対の下方正面パネルパーツ１３１，１３２で形成されている。下方正面パネルパーツ１３１，１３２は、取り付けられた状態で便器本体Ｔ及び配水管に接触しないように、長方形状の板材に対して設けられた切欠部１３１ａ，１３２ａを有する。切欠部１３１ａ，１３２ａは、同図の想像線で示すとおり、上側に位置して横向きの略長方形状に切り欠いた切欠部位（符番しない）と、この切欠部位から下側に向かって略台形状に切り欠いた切欠部位（符番しない）とを有する。
なお、下方正面パネル１３は、矩形状の板材に限らず、楕円形状や円形状の板材でもよく、寸法に限定はない。切欠部１３１ａ，１３２ａは、取り付けられた状態で便器本体Ｔ及び／又は配水管に接触しなければ、形状に限定はない。
【００２０】
図１及び図２に示すとおり、天板１５は、長方形状の板材で、長手辺側の端部の一方に下向きかつ略直角に折れ曲がった突起部１５１と、略中央部分に凹んだ洗浄水用の窪み部（符番しない）を有する。突起部１５１は、天板１５を取り付けた状態で上方正面パネル１４より便器本体側Ｔに突き出ている。この構成によれば、上方正面パネル１４が不容易に外れないようにすることができる。換言すれば、上方正面パネル１４が取り付けられた後に天板１５が取り付けられ、天板１５が取り外された後に上方正面パネル１４が取り外せる構成とすることができる。
なお、天板１５は、矩形状の板材に限らず、楕円形状や円形状の板材でもよく、寸法に限定はない。
【００２１】
図６に示すとおり、トイレカウンター１は、側面パネル１２，１２の少なくとも一方と、側面パネル１２と平行に取り付けられる別の側面パネル（符番しない）と、側面パネル１２の側端面及び／又は別の側面パネルの側端面に取り付けられる目隠し用のパネル（符番しない）と、天板１５とで形成される収納棚を備えていてもよい。
なお、収納棚は、トイレカウンター１の片方又は両方に設けられてもよい。
【００２２】
図１、図２、及び図５に示すとおり、トイレカウンター１の施工方法は、配水管及び洗浄タンクＴｗの背面側となるトイレスペースの後壁Ｗｂに背面桟木１１，１１，１１を取り付ける。次に、配水管及び洗浄タンクＴｗの左右両側に位置するように、背面桟木１１，１１，１１に直交してこれらの背面桟木を挟むように側面パネル１２，１２を取り付ける。そして、配水管が側面パネル１２，１２の間に収まるように据え付けられた便器本体Ｔ及び配水管の上方かつ側面パネル１２，１２の間に収まるように据え付けられた洗浄タンクＴｗに対し、便器本体Ｔと配水管及び洗浄タンクＴｗとの境界面上かつ配水管の正面に位置するように、取り付けられた状態で便器本体Ｔ及び配水管に接触しない切欠部１３１ａ、１３２ａをそれぞれ有する分割自在な一対の下方正面パネルパーツ１３１，１３２で形成される下方正面パネル１３を側面パネル１２，１２の側端面に着脱自在に取り付ける。さらに、便器本体Ｔと配水管及び洗浄タンクＴｗとの境界面上かつ洗浄タンクＴｗの正面に位置するように、上方正面パネル１４を側面パネル１２，１２の側端面に着脱自在に取り付ける。そして、同一の高さである最上位の背面桟木１１、側面パネル１２，１２、及び上方正面パネル１４の各々の上端面に載置するように天板１５を着脱自在に取り付ける。
なお、下方正面パネル１３及び上方正面パネル１４を取り付ける前に、下方正面パネル１３及び上方正面パネル１４の境界付近の高さかつ便器本体Ｔ側の側面パネル１２，１２の端部同士で挟むように前面桟木１６を取り付けてもよい。トイレカウンター１の一部として収納棚を同時に設けてもよい。下方正面パネル１３及び上方正面パネル１４の取り付けの順番に限定はない。
【００２３】
このようなトイレカウンター及びトイレカウンターの施工方法によれば、便器本体及び洗浄タンクの設置前に、トイレカウンターの外枠を組み立てることができ、便器本体にパネル等の部材を別途取り付けなくても、トイレの配水管及び洗浄タンクを容易に収納することができる。したがって、トイレを設置する業者とは異なるトイレカウンターを組み立てる業者が工トイレの設置に左右されずに作業することができる。
【符号の説明】
【００２４】
１                  トイレカウンター
１１                背面桟木
１２                側面パネル
１３                下方正面パネル
１３１、１３２      下方正面パネルパーツ
１３１ａ、１３２ａ  切欠部
１４                上方正面パネル
１５                天板
１５１              突起部
【図１】
2020128665.tif 000003
【図２】
2020128665.tif 000004
【図３】
2020128665.tif 000005
【図４】
2020128665.tif 000006
【図５】
2020128665.tif 000007
【図６】
2020128665.tif 000008